(57)【要約】【課題】液晶表示装置の表示画像にちらつきが生じ難い液晶表示装置組立体の駆動方法を提供する。【解決手段】表示領域を有する透過型の液晶表示装置、表示領域を背面から照明する面状光源装置、及び、面状光源装置及び液晶表示装置を駆動するための駆動回路を備えた液晶表示装置組立体の駆動方法であって、画素のそれぞれに、画素のそれぞれの光透過率を制御する制御信号が駆動回路から供給され、液晶表示装置の画像表示におけるフレーム毎に、（ａ）表示領域を構成する全ての画素を駆動するために駆動回路に入力される駆動信号の値ｘの内の最大値であるフレーム内・駆動信号最大値ｘF-maxに等しい値を有する駆動信号に相当する制御信号が画素に供給されたと想定したときの画素の輝度が得られるように、面状光源装置の輝度を駆動回路によって制御し、且つ、（ｂ）画素を構成する液晶材料の応答速度に基づき、面状光源装置の輝度を駆動回路によって制御する。【選択図】  図１
2007286501.tif 000002
【特許請求の範囲】
【請求項１】
（Ａ）２次元マトリクス状に配列された画素から構成された表示領域を有する透過型の液晶表示装置、
（Ｂ）表示領域を背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源装置の輝度を駆動回路によって制御し、且つ、
（ｂ）画素を構成する液晶材料の応答速度に基づき、面状光源装置の輝度を駆動回路によって制御する、
ことを特徴とする液晶表示装置組立体の駆動方法。
【請求項２】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項１に記載の液晶表示装置組立体の駆動方法。
【請求項３】
面状光源装置を構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源装置の輝度を制御することを特徴とする請求項１に記載の液晶表示装置組立体の駆動方法。
【請求項４】
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源ユニットの輝度を駆動回路によって制御し、且つ、
（ｂ）画素を構成する液晶材料の応答速度に基づき、面状光源ユニットの輝度を駆動回路によって制御し、且つ、
（ｃ）各面状光源ユニットの配置位置に依存して、各面状光源ユニットの発光開示時期を駆動回路によって制御する、
ことを特徴とする液晶表示装置組立体の駆動方法。
【請求項５】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項４に記載の液晶表示装置組立体の駆動方法。
【請求項６】
面状光源ユニットを構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源ユニットの輝度を制御することを特徴とする請求項４に記載の液晶表示装置組立体の駆動方法。
【請求項７】
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）面状光源ユニットのそれぞれにおいて、各表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号が画素に供給されたと想定したときの画素の輝度が得られるように、該表示領域ユニットに対応する面状光源ユニットの輝度を駆動回路によって制御し、且つ、
（ｂ）画素を構成する液晶材料の応答速度に基づき、面状光源ユニットの輝度を駆動回路によって制御する、
ことを特徴とする液晶表示装置組立体の駆動方法。
【請求項８】
液晶表示装置の画像表示におけるフレーム毎に、更に、
（ｃ）各面状光源ユニットの配置位置に依存して、各面状光源ユニットの発光開示時期を駆動回路によって制御する、
ことを特徴とする請求項７に記載の液晶表示装置組立体の駆動方法。
【請求項９】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項７に記載の液晶表示装置組立体の駆動方法。
【請求項１０】
面状光源ユニットを構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源ユニットの輝度を制御することを特徴とする請求項７に記載の液晶表示装置組立体の駆動方法。
【請求項１１】
Ｋの値はＱの値の整数倍であることを特徴とする請求項１０に記載の液晶表示装置組立体の駆動方法。
【発明の詳細な説明】
【技術分野】
【０００１】
本発明は、液晶表示装置組立体の駆動方法に関する。
【背景技術】
【０００２】
液晶表示装置にあっては、液晶材料それ自体は発光しない。従って、例えば、液晶表示装置の表示領域を照射する直下型の面状光源装置（バックライト）を、表示領域の背面に配置する。尚、カラー液晶表示装置にあっては、１画素は、例えば、赤色発光副画素、緑色発光副画素及び青色発光副画素の３つの副画素から構成されている。そして、各画素あるいは各副画素を構成する液晶セルを、一種の光シャッター（ライト・バルブ）として動作させることによって、即ち、各画素あるいは各副画素の光透過率を制御することによって、面状光源装置から出射された照明光（例えば、白色光）の光透過率を制御し、画像を表示している。
【０００３】
従来、液晶表示装置組立体における面状光源装置は、表示領域全体を、均一、且つ、一定の明るさで照明している。この状態を、面状光源装置の輝度（光源輝度と呼ぶ場合がある）として、模式的に、図１２の（Ａ）及び図１３の（Ａ）に示す。そして、画素Ａ、画素Ｂの光透過率を制御することで（図１２の（Ｂ）及び図１３の（Ｂ）参照）、画素Ａ、画素Ｂに対応する表示領域の部分の輝度（表示輝度と呼ぶ場合がある）を制御することができる（図１２の（Ｃ）及び図１３の（Ｃ）参照）。ここで、画素Ａは液晶表示装置の上部に位置し、画素Ｂは液晶表示装置の下部に位置しているとする。
【０００４】
尚、後述する図１４の（Ａ）及び図１５の（Ａ）は、光源輝度を模式的に示す図であり、図１４の（Ｂ）及び（Ｃ）は、それぞれ、画素Ａの光透過率及び表示輝度を模式的に示す図であり、図１５の（Ｂ）及び（Ｃ）は、それぞれ、画素Ｂの光透過率及び表示輝度を模式的に示す図である。図１２〜図１５の横軸は、画像表示の時間的経過（フレーム数）を示している。
【０００５】
また、このような面状光源装置とは別の構成、即ち、複数の面状光源ユニットから構成され、カラー液晶表示装置を構成する複数の表示領域ユニットにおける照度の分布を変化させる構成を有する面状光源装置が、例えば、特開２００５−１７３２４から周知である。尚、このような複数の面状光源ユニットから構成された面状光源装置を、便宜上、分割駆動の面状光源装置と呼ぶ場合がある。
【０００６】
更には、面状光源装置を以下に説明する方法に基づき制御することが、例えば、特開平１１−１０９３１７に開示されている。即ち、面状光源装置における最高輝度をＹmaxとし、表示領域における画素の光透過率（開口率）の最大値（具体的には、例えば１００％）をＬｔmaxとする。また、面状光源装置が最高輝度Ｙmaxであるときに、表示領域における表示輝度ｙ0を得るための画素の光透過率（開口率）をＬｔ0とする。すると、この場合にあっては、面状光源装置の光源輝度Ｙ0を、
Ｙ0・Ｌｔmax＝Ｙmax・Ｌｔ0
を満足するように制御すればよい。尚、このような制御の概念図を図１６の（Ａ）及び（Ｂ）に示す。ここで、光源輝度Ｙ0をフレーム毎に変化させる。
【０００７】
具体的には、例えば、面状光源装置の光源輝度（Ｙ0）を図１４の（Ａ）及び図１５の（Ａ）に模式的に示すように制御し、加えて、画素の光透過率Ｌｔを図１４の（Ｂ）及び図１５の（Ｂ）に模式的に実線にて示すように制御した場合、図１４の（Ｃ）及び図１５の（Ｃ）に模式的に実線にて示すような、画素Ａ、画素Ｂにおける表示輝度（ｙ）を得ることができる。
【０００８】
【特許文献１】特開２００５−１７３２４
【特許文献２】特開平１１−１０９３１７
【発明の開示】
【発明が解決しようとする課題】
【０００９】
ところで、液晶材料は、有限の応答速度を有している。それ故、画素の光透過率Ｌｔは、実際には、図１５の（Ｂ）に点線で示すように変化する。一方、面状光源装置における光源を発光ダイオード（ＬＥＤ）から構成する場合、光源の輝度変化は、図１５の（Ａ）に示すように、画素の光透過率の変化よりも早い。従って、画素を駆動するために液晶表示装置組立体に外部から入力される駆動信号の値が一定である場合、本来ならば、図１５の（Ｃ）に実線で示したような表示輝度が得られるはずであるが、実際には、図１５の（Ｃ）に点線で示すような表示輝度しか得られない。そして、このような表示輝度の変化が生じた場合、液晶表示装置の表示画像においてはちらつきとして認識される。
【００１０】
従って、本発明の目的は、液晶表示装置の表示画像にちらつきが生じ難い液晶表示装置組立体の駆動方法を提供することにある。
【課題を解決するための手段】
【００１１】
上記の目的を達成するための本発明の第１の態様に係る液晶表示装置組立体の駆動方法は、
（Ａ）２次元マトリクス状に配列された画素から構成された表示領域を有する透過型の液晶表示装置、
（Ｂ）表示領域を背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源装置の輝度を駆動回路によって制御し、且つ、
（ｂ）画素を構成する液晶材料の応答速度に基づき、面状光源装置の輝度を駆動回路によって制御する、
ことを特徴とする。
【００１２】
上記の目的を達成するための本発明の第２の態様に係る液晶表示装置組立体の駆動方法は、
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源ユニットの輝度を駆動回路によって制御し、且つ、
（ｂ）画素を構成する液晶材料の応答速度に基づき、面状光源ユニットの輝度を駆動回路によって制御し、且つ、
（ｃ）各面状光源ユニットの配置位置に依存して、各面状光源ユニットの発光開示時期を駆動回路によって制御する、
ことを特徴とする。
【００１３】
上記の目的を達成するための本発明の第３の態様に係る液晶表示装置組立体の駆動方法は、
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）面状光源ユニットのそれぞれにおいて、各表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号が画素に供給されたと想定したときの画素の輝度が得られるように、該表示領域ユニットに対応する面状光源ユニットの輝度を駆動回路によって制御し、且つ、
（ｂ）画素を構成する液晶材料の応答速度に基づき、面状光源ユニットの輝度を駆動回路によって制御する、
ことを特徴とする。
【００１４】
本発明の第３の態様に係る液晶表示装置組立体の駆動方法においては、液晶表示装置の画像表示におけるフレーム毎に、更に、
（ｃ）各面状光源ユニットの配置位置に依存して、各面状光源ユニットの発光開示時期を駆動回路によって制御する、
といった形態とすることができる。
【００１５】
上記の好ましい形態を含む本発明の第１の態様〜第３の態様に係る液晶表示装置組立体の駆動方法にあっては、各画素は、それぞれが異なる色を発光する複数の副画素を１組として構成され、各画素を構成する副画素のそれぞれに、副画素のそれぞれの光透過率を制御する制御信号が駆動回路から供給される構成とすることができる。即ち、この場合の液晶表示装置は、カラー液晶表示装置である。そして、この場合、具体的には、各画素は、赤色発光副画素、緑色発光副画素、及び、青色発光副画素の３つの副画素を１組として構成され、あるいは又、これらの３つの副画素に更に１あるいは複数の副画素を加えた１組（例えば、輝度向上のために白色を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）として構成される。
【００１６】
また、上記の好ましい形態を含む本発明の第１の態様〜第３の態様に係る液晶表示装置組立体の駆動方法において、面状光源あるいは面状光源ユニットを構成する光源は、パルス幅変調（ＰＷＭ）に基づき駆動される発光ダイオードから成り、１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源における光源の輝度を制御することが好ましい。但し、このような構成に限定されるものではなく、面状光源あるいは面状光源ユニットを構成する光源として、その他、例えば、冷陰極線型の蛍光ランプや、エレクトロルミネッセンス（ＥＬ）を応用した光源を挙げることができる。
【００１７】
尚、本発明の第２の態様に係る液晶表示装置組立体の駆動方法、あるいは、本発明の第３の態様に係る液晶表示装置組立体の駆動方法の好ましい態様にあっては、各面状光源ユニットの配置位置に依存して、各面状光源ユニットの発光開示時期を駆動回路によって制御するが、この場合、Ｐ×Ｑ個（Ｑ行、Ｐ列）の面状光源ユニットにおけるＱの値とＫの値との関係は、Ｋの値をＱの値の整数倍とすることが、即ち、αを正の整数の定数としたとき、
Ｋ＝α×Ｑ
とすることが、面状光源ユニットにおける発光制御の簡便性といった観点から好ましい。あるいは又、駆動回路において、各面状光源ユニットの配置位置に依存して各面状光源ユニットの発光開示時期を遅延させればよい。ここで、Ｑの値をパラメータとして遅延時間を予め決定しておき、駆動回路に備えられた記憶装置内に記憶させておけばよい。より具体的には、線順次駆動される透過型の液晶表示装置は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号に基づき画像を表示させ、１画面を構成するが、１フレーム内において、より遅く走査信号が入力されて選択される走査電極を含む表示領域ユニットに対応した各面状光源ユニットの発光開示時期を、より一層遅延させればよい。但し、各面状光源ユニットの発光期間は同じである。
【００１８】
ここで、画素あるいは副画素の光透過率（開口率とも呼ばれる）Ｌｔ、及び、画素あるいは副画素に対応する表示領域の部分の輝度（表示輝度）ｙ、面状光源装置あるいは面状光源ユニットの輝度（光源輝度）Ｙを、以下のとおり、定義する。
【００１９】
Ｙ1・・・・光源輝度の、例えば最高輝度であり、以下、光源輝度・第１規定値と呼ぶ場合がある。
Ｌｔ1・・・表示領域あるいは表示領域ユニットにおける画素あるいは副画素の光透過率（開口率）の、例えば最大値であり、以下、光透過率・第１規定値と呼ぶ場合がある。
Ｌｔ2・・・光源輝度が光源輝度・第１規定値Ｙ1であるときに、フレーム内・駆動信号最大値ｘF-maxあるいは表示領域ユニット内・駆動信号最大値ｘU-maxに等しい値を有する駆動信号に相当する制御信号が画素あるいは副画素に供給されたと想定したときの画素あるいは副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、画素あるいは副画素の光透過率（開口率）が光透過率・第２規定値Ｌｔ2であると仮定したときに得られる表示輝度であり、以下、表示輝度・第２規定値と呼ぶ場合がある。
Ｙ2・・・・フレーム内・駆動信号最大値ｘF-maxあるいは表示領域ユニット内・駆動信号最大値ｘU-maxに等しい値を有する駆動信号に相当する制御信号が画素あるいは副画素に供給されたと想定し、画素あるいは副画素の光透過率（開口率）が光透過率・第１規定値Ｌｔ1であると仮定したとき、画素あるいは副画素の輝度を表示輝度・第２規定値（ｙ2）とするための、面状光源装置あるいは面状光源ユニットの光源輝度。
【００２０】
以上に説明した好ましい形態を含む本発明の第１の態様〜第３の態様に係る液晶表示装置組立体の駆動方法（以下、これらを総称して、単に、本発明と呼ぶ場合がある）においては、フレーム内・駆動信号最大値ｘF-maxあるいは表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源装置の輝度を駆動回路によって制御するが、具体的には、例えば、画素あるいは副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（１）を満足するように、フレーム毎に光源輝度Ｙ2を制御すればよい。尚、Ｙ2≦Ｙ1の関係にある。
【００２１】
Ｙ2・Ｌｔ1＝Ｙ1・Ｌｔ2    （１）
【００２２】
本発明において、光源を、赤色発光ダイオード、緑色発光ダイオード、及び、青色発光ダイオードを１組として構成して白色光を得る場合、赤色発光ダイオードは、例えば、波長６４０ｎｍの赤色を発光し、緑色発光ダイオードは、例えば、波長５３０ｎｍの緑色を発光し、青色発光ダイオードは、例えば、波長４５０ｎｍの青色を発光する。尚、赤色、緑色、青色以外の第４番目の色、第５番目の色・・・を発光する発光ダイオードを更に備えていてもよい。あるいは又、白色発光ダイオード（例えば、紫外又は青色発光ダイオードと蛍光体粒子とを組み合わせて白色を発光する発光ダイオード）を備えている形態とすることもできる。
【発明の効果】
【００２３】
本発明の第１の態様あるいは第２の態様に係る液晶表示装置組立体の駆動方法にあっては、液晶表示装置の画像表示におけるフレーム毎に、フレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源装置あるいは面状光源ユニットの輝度が駆動回路によって制御されるので、面状光源装置の消費電力の低減を図ることができる。また、本発明の第３の態様に係る液晶表示装置組立体の駆動方法にあっては、液晶表示装置の画像表示におけるフレーム毎に、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源ユニットの輝度が駆動回路によって制御されるので、面状光源装置の消費電力の低減を図ることができるばかりか、表示領域ユニットに対応する面状光源ユニットの輝度（光強度）を増減させるので、高いコントラスト比を得ることができる。
【００２４】
しかも、本発明の第１の態様〜第３の態様に係る液晶表示装置組立体の駆動方法にあっては、画素を構成する液晶材料の応答速度に基づき、面状光源装置あるいは面状光源ユニットの輝度を駆動回路によって制御するので、液晶表示装置組立体に入力される駆動信号の値が一定である場合であっても、液晶表示装置の表示画像にちらつきが生じることを確実に防止することができる。
【００２５】
更には、本発明の第２の態様に係る液晶表示装置組立体の駆動方法、あるいは、本発明の第３の態様に係る液晶表示装置組立体の駆動方法の好ましい態様にあっては、各面状光源ユニットの配置位置に依存して、各面状光源ユニットの発光開示時期を駆動回路によって制御するので、より一層正確、精密な液晶表示装置の表示画像の制御を行うことができる。
【発明を実施するための最良の形態】
【００２６】
以下、図面を参照して、実施例に基づき本発明を説明する。
【実施例１】
【００２７】
実施例１は、本発明の第１の態様に係る液晶表示装置組立体の駆動方法に関する。尚、実施例１、あるいは後述する実施例２〜実施例４にあっては、透過型の液晶表示装置を透過型のカラー液晶表示装置とする。
【００２８】
図５に概念図を示すように、実施例１における透過型のカラー液晶表示装置１０は、第１の方向に沿ってＭ0個、第２の方向に沿ってＮ0個の、合計Ｍ0×Ｎ0個の画素が２次元マトリクス状に配列された表示領域１１を有する。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１を、図５においては一点鎖線で示す。ここで、各画素は、それぞれが異なる色を発光する複数の副画素を１組として構成されている。より具体的には、各画素は、赤色発光副画素（副画素［Ｒ］）、緑色発光副画素（副画素［Ｇ］）、及び、青色発光副画素（副画素［Ｂ］）の３つの副画素（サブピクセル）から構成されている。この透過型のカラー液晶表示装置１０は、線順次駆動される。より具体的には、カラー液晶表示装置１０は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号（制御信号に基づく信号である）に基づき画像を表示させ、１画面を構成する。尚、後述する実施例２〜実施例４における透過型のカラー液晶表示装置１０Ａも、実質的に同様の構成、構造を有する。
【００２９】
直下型の面状光源装置（バックライト）４０は、表示領域１１を背面から照明する。尚、カラー液晶表示装置１０の下方に面状光源装置４０が位置しているが、図５においては、カラー液晶表示装置１０と面状光源装置４０とを別々に表示した。面状光源装置及びカラー液晶表示装置の模式的な一部断面図を図７に示す。尚、面状光源装置４０を構成する光源は、パルス幅変調に基づき駆動される発光ダイオード４１から成る。
【００３０】
面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、拡散板６１が、スペーサ５５Ｃ、ブラケット部材５７を介して、内側フレーム５４に取り付けられている。また、拡散板６１の上には、拡散シート６２、プリズムシート６３、偏光変換シート６４といった光学機能シート群が積層されている。
【００３１】
筐体５１の内部であって下部には、反射シート６５が備えられている。ここで、この反射シート６５は、その反射面が拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、複数の発光ダイオード４１から出射された光や、筐体５１の側面５２Ｂによって反射された光を反射する。こうして、赤色を発光する複数の赤色発光ダイオード４１Ｒ、緑色を発光する複数の緑色発光ダイオード４１Ｇ、及び、青色を発光する複数の青色発光ダイオード４１Ｂから出射された赤色光、緑色光及び青色光が混色され、色純度の高い白色光を照明光として得ることができる。この照明光は、拡散板６１、拡散シート６２、プリズムシート６３、偏光変換シート６４といった光学機能シート群を通過し、カラー液晶表示装置１０を背面から照射する。筐体５１の底面５２Ａ近傍には、フォトダイオード４４Ｒ，４４Ｇ，４４Ｂが配置されている。尚、フォトダイオード４４Ｒは、赤色光の光強度を測定するために赤色フィルターが取り付けられたフォトダイオードであり、フォトダイオード４４Ｇは、緑色光の光強度を測定するために緑色フィルターが取り付けられたフォトダイオードであり、フォトダイオード４４Ｂは、青色光の光強度を測定するために青色フィルターが取り付けられたフォトダイオードである。
【００３２】
発光ダイオード４１Ｒ，４１Ｇ，４１Ｂの配列状態は、例えば、赤色（例えば、波長６４０ｎｍ）を発光する赤色発光ダイオード４１Ｒ、緑色（例えば、波長５３０ｎｍ）を発光する緑色発光ダイオード４１Ｇ、及び、青色（例えば、波長４５０ｎｍ）を発光する青色発光ダイオード４１Ｂを１組とした発光ダイオード・ユニットを水平方向及び垂直方向に複数、並べる配列とすることができる。
【００３３】
面状光源装置４０及びカラー液晶表示装置１０を駆動するための駆動回路は、パルス幅変調方式に基づき、面状光源装置４０を構成する赤色発光ダイオード４１Ｒ、緑色発光ダイオード４１Ｇ及び青色発光ダイオード４１Ｂのオン／オフ制御を行うバックライト制御ユニット７０及び面状光源駆動回路８０、並びに、液晶表示装置駆動回路９０から構成されている。ここで、バックライト制御ユニット７０は、演算回路７１及び記憶装置（メモリ）７２から構成されている。一方、面状光源駆動回路８０は、演算回路８１、記憶装置（メモリ）８２、ＬＥＤ駆動回路８３、フォトダイオード制御回路８４、ＦＥＴから成るスイッチング素子８５Ｒ，８５Ｇ，８５Ｂ、発光ダイオード駆動電源（定電流源）８６から構成されている。或るフレームにおける発光ダイオード４１Ｒ，４１Ｇ，４１Ｂの発光状態は、フォトダイオード４４Ｒ，４４Ｇ，４４Ｂによって測定され、フォトダイオード４４Ｒ，４４Ｇ，４４Ｂからの出力はフォトダイオード制御回路８４に入力され、フォトダイオード制御回路８４、演算回路８１において、発光ダイオード４１Ｒ，４１Ｇ，４１Ｂの例えば輝度や色度としてのデータ（信号）とされ、係るデータがＬＥＤ駆動回路８３に送られ、次のフレームにおける発光ダイオード４１Ｒ，４１Ｇ，４１Ｂの発光状態が制御されるといったフィードバック機構が形成される。ここで、図６には、発光ダイオード駆動電源（定電流源）８６を１つで描写しているが、実際には、発光ダイオード４１Ｒ，４１Ｇ，４１Ｂのそれぞれを駆動するための発光ダイオード駆動電源８６が配されている。バックライト制御ユニット７０及び面状光源駆動回路８０を構成するこれらの回路等は、周知の回路等とすることができる。一方、カラー液晶表示装置１０を駆動するための液晶表示装置駆動回路９０は、タイミングコントローラ９１といった周知の回路から構成されている。また、カラー液晶表示装置１０には、液晶セルを構成するＴＦＴから成るスイッチング素子（図示せず）を駆動するための、ゲート・ドライバ、ソース・ドライバ等（これらは図示せず）が備えられている。
【００３４】
尚、後述する実施例２〜実施例４における面状光源装置４０、駆動回路７０，８０Ａ，９０も、基本的には、実施例１における面状光源装置４０、駆動回路７０，８０，９０と同様の構成、構造を有する。
【００３５】
ここで、赤色発光副画素（副画素［Ｒ］）、緑色発光副画素（副画素［Ｇ］）、及び、青色発光副画素（副画素［Ｂ］）を一括して纏めて『副画素［Ｒ，Ｇ，Ｂ］』と呼ぶ場合があり、赤色発光制御信号、緑色発光制御信号、及び、青色発光制御信号を一括して纏めて『制御信号［Ｒ，Ｇ，Ｂ］』と呼ぶ場合があり、赤色発光副画素駆動信号、緑色発光副画素駆動信号、及び、青色発光副画素駆動信号を一括して纏めて『駆動信号［Ｒ，Ｇ，Ｂ］』と呼ぶ場合がある。
【００３６】
各画素は、副画素［Ｒ］（赤色発光サブピクセル）、副画素［Ｇ］（緑色発光サブピクセル）、及び、副画素［Ｂ］（青色発光サブピクセル）の３つの副画素（サブピクセル）を１組として構成されている。以下の実施例の説明においては、副画素［Ｒ，Ｇ，Ｂ］のそれぞれの輝度の制御（階調制御）を８ビット制御とし、０〜２５５の２8段階にて行うとする。従って、表示領域１１を構成する各画素における副画素［Ｒ，Ｇ，Ｂ］のそれぞれを駆動するために液晶表示装置駆動回路９０に入力される駆動信号［Ｒ，Ｇ，Ｂ］の値ｘR，ｘG，ｘBのそれぞれは、２8段階の値をとる。また、面状光源装置４０を構成する赤色発光ダイオード４１Ｒ、緑色発光ダイオード４１Ｇ及び青色発光ダイオード４１Ｂのそれぞれの発光時間を制御するためのパルス幅変調出力信号の値ＳR，ＳG，ＳBも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００３７】
尚、以下の説明においては、便宜上、ＳR＝ＳG＝ＳB＝Ｓ0とする。
【００３８】
画素のそれぞれに、画素のそれぞれの光透過率Ｌｔを制御する制御信号が駆動回路から供給される。具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路９０から供給される。即ち、液晶表示装置駆動回路９０においては、入力された駆動信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される。尚、面状光源装置４０における光源輝度Ｙ2をフレーム毎に変化させるので、制御信号［Ｒ，Ｇ，Ｂ］は、基本的に、駆動信号［Ｒ，Ｇ，Ｂ］の値を２．２乗した値に対して、光源輝度Ｙ2の変化に基づく補正（補償）を行った値を有する。そして、液晶表示装置駆動回路９０を構成するタイミングコントローラ９１から、カラー液晶表示装置１０のゲート・ドライバ及びソース・ドライバに、制御信号［Ｒ，Ｇ，Ｂ］が周知の方法で送出され、制御信号［Ｒ，Ｇ，Ｂ］に基づき各副画素を構成するスイッチング素子（図示せず）が駆動され、液晶セルを構成する透明第１電極及び透明第２電極（これらは図示せず）に所望の電圧が印加されることで、各副画素の光透過率（開口率）Ｌｔが制御される。ここで、制御信号［Ｒ，Ｇ，Ｂ］の値が大きいほど、副画素［Ｒ，Ｇ，Ｂ］の光透過率（副画素の開口率）Ｌｔが高くなり、副画素［Ｒ，Ｇ，Ｂ］の輝度（表示輝度ｙ）の値が高くなる。即ち、副画素［Ｒ，Ｇ，Ｂ］を通過する光によって構成される画像（通常、一種、点状である）は明るい。
【００３９】
表示輝度ｙ及び光源輝度Ｙ2の制御は、カラー液晶表示装置１０の画像表示における１フレーム毎に行われる。また、１フレーム内において、あるいは又、２つの連続したフレームを跨って、カラー液晶表示装置１０の動作と面状光源装置４０の動作とは同期させられる。
【００４０】
実施例１にあっては、液晶表示装置の画像表示におけるフレーム毎に、（ａ）表示領域１１を構成する全ての画素を駆動するために駆動回路７０，８０，９０に入力される駆動信号の値の内の最大値であるフレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源装置４０の輝度（光源輝度Ｙ2）を駆動回路７０，８０によって制御し、且つ、（ｂ）画素を構成する液晶材料の応答速度に基づき、面状光源装置４０の輝度（光源輝度Ｙ2）を駆動回路７０，８０によって制御する。
【００４１】
実施例１の液晶表示装置組立体の駆動方法における或る画素（副画素）に関する、面状光源装置の輝度（光源輝度Ｙ2）、画素の光透過率Ｌｔ及び輝度（表示輝度ｙ）を、模式的に、図１の（Ａ）、（Ｂ）及び（Ｃ）、並びに、図３の（Ａ）、（Ｂ）及び（Ｃ）に示す。尚、図１の（Ａ）、（Ｂ）及び（Ｃ）は画素Ａに関し、図３の（Ａ）、（Ｂ）及び（Ｃ）は画素Ｂに関する。ここで、画素Ａはカラー液晶表示装置１０Ａの上部に位置し、画素Ｂはカラー液晶表示装置１０の下部に位置しており、画素Ａよりも画素Ｂの方が、１フレーム内において、より遅く走査信号が入力されて選択される。尚、図１及び図３の横軸は、画像表示の時間的経過（フレーム数）を示している。また、実施例１の液晶表示装置組立体の駆動方法において、１つのフレーム（図１の（Ｂ）における第（ｆ＋３）番目のフレーム）における発光ダイオードのパルス幅変調に基づく駆動におけるデューティ比（以下、単に、デューティ比と呼ぶ場合がある）の制御、面状光源装置の輝度（光源輝度Ｙ2）、及び、画素の光透過率Ｌｔを、図２の（Ａ）、（Ｂ）及び（Ｃ）に模式的に示す。
【００４２】
先に説明したように、液晶材料は、有限の応答速度を有している。それ故、画素の光透過率Ｌｔは、図１の（Ｂ）、図２の（Ｃ）、及び、図３の（Ｂ）に実線で示すように変化する。そして、実施例１の液晶表示装置組立体の駆動方法にあっては、図１の（Ａ）及び図３の（Ａ）に示すように、画素を構成する液晶材料の応答速度に基づき、面状光源装置４０の光源輝度Ｙ2を駆動回路７０，８０によって制御する。従って、画素を駆動するために液晶表示装置組立体に外部から入力される駆動信号の値が一定である場合であっても、図１５に示した従来の技術とは異なり、図１の（Ｃ）に実線で示したような表示輝度ｙが得られる。その結果、カラー液晶表示装置１０の表示画像にちらつきが生じることが無い。また、図３の（Ｃ）に実線で示したような表示輝度ｙが得られるが、このような表示輝度ｙであっても、カラー液晶表示装置１０を見る者に何ら違和感を感じさせない。
【００４３】
以下、実施例１における液晶表示装置組立体の駆動方法を、図２の（Ａ）、（Ｂ）及び（Ｃ）、図４の（Ａ）及び（Ｂ）、図５、並びに、図６を参照して説明する。
【００４４】
［ステップ−１００］
スキャンコンバータ等の周知のディスプレイ回路から送出された１フレーム分の駆動信号［Ｒ，Ｇ，Ｂ］及びクロック信号ＣＬＫは、バックライト制御ユニット７０及び液晶表示装置駆動回路９０に入力される（図５参照）。尚、駆動信号［Ｒ，Ｇ，Ｂ］は、例えば撮像管への入力光量をｙ’としたとき、撮像管からの出力信号であり、例えば放送局等から出力され、画素の光透過率Ｌｔを制御するために液晶表示装置駆動回路９０にも入力される駆動信号であり、入力光量ｙ’の０．４５乗の関数で表すことができる。そして、バックライト制御ユニット７０に入力された１フレーム分の駆動信号［Ｒ，Ｇ，Ｂ］の値ｘR，ｘG，ｘBは、バックライト制御ユニット７０を構成する記憶装置（メモリ）７２に、一旦、記憶される。また、液晶表示装置駆動回路９０に入力された１フレーム分の駆動信号［Ｒ，Ｇ，Ｂ］の値ｘR，ｘG，ｘBも、液晶表示装置駆動回路９０を構成する記憶装置（図示せず）に、一旦、記憶される。
【００４５】
［ステップ−１１０］
次いで、バックライト制御ユニット７０を構成する演算回路７１においては、記憶装置７２に記憶された駆動信号［Ｒ，Ｇ，Ｂ］の値を読み出し、表示領域１１を構成する全ての画素における副画素［Ｒ，Ｇ，Ｂ］を駆動するための駆動信号［Ｒ，Ｇ，Ｂ］の値ｘR，ｘG，ｘBの内の最大値であるフレーム内・駆動信号最大値ｘF-maxを、演算回路７１において求める。そして、フレーム内・駆動信号最大値ｘF-maxを、記憶装置７２に記憶する。
【００４６】
例えば、或るフレームにおいて、赤色発光副画素駆動信号（駆動信号［Ｒ］）の値ｘRの最大値が「１１０」に相当する値であり、緑色発光副画素駆動信号（駆動信号［Ｇ］）の値ｘGの最大値が「１５０」に相当する値であり、青色発光副画素駆動信号（駆動信号［Ｂ］）の値ｘBの最大値が「５０」に相当する値である場合、フレーム内・駆動信号最大値ｘF-maxは「１５０」に相当する値である。
【００４７】
そして、フレーム内・駆動信号最大値ｘF-maxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの輝度（光透過率・第１規定値Ｌｔ1における表示輝度・第２規定値ｙ2）が面状光源装置４０によって得られるように、面状光源装置４０の輝度（光源輝度Ｙ2）を、面状光源駆動回路８０の制御下、増減する。即ち、前述したとおり、以下の式（１）を満足するように、フレーム毎に光源輝度Ｙ2を制御すればよい。より具体的には、以下の式（１）を満足するように、光源輝度制御関数ｇ（ｘnol-max）である式（２）に基づき、光源輝度Ｙ2を制御すればよい。このような制御の概念図を図４の（Ａ）及び（Ｂ）に示す。尚、光源輝度Ｙ2の制御に関するこれらの関係、即ち、フレーム内・駆動信号最大値ｘF-max、この最大値ｘF-maxに等しい値を有する駆動信号に相当する制御信号の値、このような制御信号が画素（副画素）に供給されたと想定したときの表示輝度・第２規定値ｙ2、このときの各副画素の光透過率（開口率）［光透過率・第２規定値Ｌｔ2］、各副画素の光透過率（開口率）を光透過率・第１規定値Ｌｔ1としたときに表示輝度・第２規定値ｙ2が得られるような面状光源ユニットにおける輝度制御パラメータの関係は、予め求めておけばよい。
【００４８】
但し、画素（あるいは、画素を構成する副画素［Ｒ，Ｇ，Ｂ］のそれぞれ）を駆動するために液晶表示装置駆動回路９０に入力される駆動信号（駆動信号［Ｒ，Ｇ，Ｂ］）の最大値をｘmaxとしたとき、
ｘnol-max≡ｘF-max／ｘmax
であり、ａ1，ａ0は定数であり、
ａ1＋ａ0＝１
０＜ａ0＜１，０＜ａ1＜１
で表すことができる。例えば、
ａ1＝０．９９
ａ0＝０．０１
とすればよい。また、駆動信号［Ｒ，Ｇ，Ｂ］の値ｘR，ｘG，ｘBのそれぞれは、２8段階の値をとるので、ｘmaxの値は「２５５」である。
【００４９】
Ｙ2・Ｌｔ1＝Ｙ1・Ｌｔ2    （１）
ｇ（ｘnol-max）＝ａ1・（ｘnol-max）2.2＋ａ0    （２）
【００５０】
そして、バックライト制御ユニット７０を構成する演算回路７１において得られたｇ（ｘnol-max）の値を、記憶装置７２に記憶された変換テーブルに基づき、０〜２５５の範囲内の対応する整数に変換する。こうして、バックライト制御ユニット７０を構成する演算回路７１において、面状光源装置４０における赤色発光ダイオード４１Ｒの発光時間を制御するためのパルス幅変調出力信号の値ＳR、緑色発光ダイオード４１Ｇの発光時間を制御するためのパルス幅変調出力信号の値ＳG、青色発光ダイオード４１ＢBの発光時間を制御するためのパルス幅変調出力信号の値ＳBを得ることができる。但し、実施例１〜実施例４においては、ＳR＝ＳG＝ＳB＝Ｓ0とする。
【００５１】
更には、画素を構成する液晶材料の応答速度に基づき、面状光源装置４０の輝度Ｙ2を駆動回路７０，８０によって制御するために、１フレームにおける発光ダイオードの単位発光期間の数をＫ（例えば、Ｋ＝１０）としたとき、第ｋ番目（但し、ｋ＝１，２，３・・・Ｋ）の単位発光期間におけるデューティ比を制御する。
【００５２】
具体的には、１つ前のフレームにおけるフレーム内・駆動信号最大値ｘprev_F-maxに対応するパルス幅変調出力信号の値をＳprevとしたとき、Ｓprev及び（Ｓ0−Ｓprev）の値に基づき、第ｋ番目（但し、ｋ＝１，２，３・・・Ｋ）の単位発光期間におけるデューティ比を制御するために、単位発光期間・パルス幅変調出力信号の補正値ｓ’kを、以下の式（３）から計算で求める。但し、ｋ’は係数であり、ｆ（ｋ）は、予め求められたｋを変数とする関数である。尚、Ｓprev及び（Ｓ0−Ｓprev）の値をパラメータとしたテーブルを記憶装置７２に記憶しておき、このテーブルに基づき、単位発光期間・パルス幅変調出力信号の補正値ｓ’k決定してもよい。
【００５３】
ｓ’k＝ｋ’｛（Ｓ0−Ｓprev）×ｆ（ｋ）＋Ｓprev｝    （３）
【００５４】
［ステップ−１２０］
次に、バックライト制御ユニット７０を構成する演算回路７１において得られた単位発光期間・パルス幅変調出力信号の補正値ｓ’K（但し、ｋ＝１，２，３・・・Ｋ）の値は、面状光源駆動回路８０の記憶装置８２に送出され、記憶装置８２において記憶される。また、クロック信号ＣＬＫも、面状光源駆動回路８０に送出される（図６参照）。
【００５５】
［ステップ−１３０］
そして、単位発光期間・パルス幅変調出力信号の補正値ｓ’kに基づき、面状光源装置４０を構成する赤色発光ダイオード４１Ｒのオン時間ｔR-ON及びオフ時間ｔR-OFF、緑色発光ダイオード４１Ｇのオン時間ｔG-ON及びオフ時間ｔG-OFF、青色発光ダイオード４１Ｂのオン時間ｔB-ON及びオフ時間ｔB-OFFを演算回路８１は決定する。尚、
ｔR-ON＋ｔR-OFF＝ｔG-ON＋ｔG-OFF＝ｔB-ON＋ｔB-OFF＝一定値ｔConst（単位発光期間）
である。また、或る単位発光期間における発光ダイオードのパルス幅変調に基づく駆動におけるデューティ比は、
ｔON／（ｔON＋ｔOFF）＝ｔON／ｔConst
で表すことができる。
【００５６】
こうして得られた面状光源装置４０を構成する赤色発光ダイオード４１Ｒ，緑色発光ダイオード４１Ｇ、青色発光ダイオード４１Ｂのオン時間ｔR-ON，ｔG-ON，ｔB-ONに相当する信号が、ＬＥＤ駆動回路８３に送られ、このＬＥＤ駆動回路８３から、オン時間ｔR-ON，ｔG-ON，ｔB-ONに相当する信号の値に基づき、スイッチング素子８５Ｒ，８５Ｇ，８５Ｂが、オン時間ｔR-ON，ｔG-ON，ｔB-ONだけオン状態となり、発光ダイオード駆動電源８６からのＬＥＤ駆動電流が、各発光ダイオード４１Ｒ，４１Ｇ，４１Ｂに流される（図２の（Ａ）参照）。その結果、各発光ダイオード４１Ｒ，４１Ｇ，４１Ｂは、１フレーム時間中のオン時間ｔR-ON，ｔG-ON，ｔB-ONだけ発光する（図２の（Ｂ）参照）。このときの画素の光透過率（開口率）Ｌｔの変化状態を模式的に図２の（Ｃ）に示す。こうして、表示領域１１を、所定の照度において照明することができる。
【００５７】
こうして得られた状態を、図８の（Ａ）及び（Ｂ）に実線で示すが、図８の（Ａ）は、副画素を駆動するために液晶表示装置駆動回路９０に入力される駆動信号の値を２．２乗した値（ｘ’≡ｘ2.2）とデューティ比（＝ｔON／ｔConst）との関係を模式的に示す図であり、図８の（Ｂ）は、副画素の光透過率Ｌｔを制御するための制御信号の値Ｘと表示輝度ｙとの関係を模式的に示す図である。
【００５８】
一方、液晶表示装置駆動回路９０に入力された駆動信号［Ｒ，Ｇ，Ｂ］の値ｘR，ｘG，ｘBはタイミングコントローラ９１へ送られ、タイミングコントローラ９１にあっては、入力された駆動信号［Ｒ，Ｇ，Ｂ］に相当する制御信号［Ｒ，Ｇ，Ｂ］を、副画素［Ｒ，Ｇ，Ｂ］に供給（出力）する。ここで、光透過率Ｌｔ2と駆動信号の値ｘとの関係について説明すると、光透過率Ｌｔ2は、駆動信号の値ｘの関数Ｆ（ｘ）で表すことができる。尚、Ｆ（ｘ）は、例えば、
Ｆ（ｘ）＝ｂ1・ｘ2.2＋ｂ0
で表すことができる。そして、関数Ｆ（ｘ）の逆関数をＧ（ｘ）とすると、
ｘ＝Ｇ（ｙ2／Ｙ2）
に基づき副画素を駆動することで、表示輝度・第２規定値ｙ2を得ることができる。即ち、Ｙ2・Ｌｔ1は、Ｆ（ｘ）・Ｙ2に基づき得ることができ、Ｆ（ｘ）・Ｙ2は、Ｆ（Ｇ（ｙ2／Ｙ2））・Ｙ2、更には、（ｙ2／Ｙ2）・Ｙ2と表すことができるので、最終的に、ｙ2を得ることができる。
【００５９】
こうして、１フレームの画像表示が行われる。１フレーム内において、カラー液晶表示装置１０の動作と面状光源装置４０の動作とは、クロック信号ＣＬＫに基づき同期させられる。
【００６０】
実施例１にあっては、カラー液晶表示装置１０の画像表示におけるフレーム毎に、フレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源装置４０の輝度（光源輝度Ｙ2）が駆動回路７０，８０によって制御されるので、即ち、フレーム毎に面状光源装置４０の光源輝度Ｙ2が制御されるので、面状光源装置４０の消費電力の低減を図ることができる。しかも、画素を構成する液晶材料の応答速度に基づき、面状光源装置４０の光源輝度Ｙ2を駆動回路７０，８０によって制御するので、液晶表示装置組立体に入力される駆動信号の値が一定である場合であっても、カラー液晶表示装置１０の表示画像にちらつきが生じることを確実に防止することができる。
【実施例２】
【００６１】
実施例２は、本発明の第２の態様に係る液晶表示装置組立体の駆動方法に関する。
【００６２】
図１０に概念図を示すように、実施例２における線順次駆動の透過型カラー液晶表示装置１０Ａは、第１の方向に沿ってＭ0個、第２の方向に沿ってＮ0個の、合計Ｍ0×Ｎ0個の画素が２次元マトリクス状に配列された表示領域１１を有する。表示領域１１を、Ｐ×Ｑ個の仮想の表示領域ユニット１２に分割したと想定する。各表示領域ユニット１２は複数の画素から構成されている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図１０において、一点鎖線で示す）がＰ×Ｑ個の仮想の表示領域ユニット１２（境界を点線で示す）に分割されている。ここで、（Ｐ，Ｑ）の値は、例えば、（１９，１２）である。但し、図面の簡素化のため、図１０における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。各画素は、実施例１と同様に、副画素［Ｒ，Ｇ，Ｂ］の３つの副画素（サブピクセル）から構成されている。
【００６３】
直下型の面状光源装置（バックライト）４０Ａは、Ｐ×Ｑ個の仮想の表示領域ユニット１２に対応したＰ×Ｑ個の面状光源ユニット４２から成り、各面状光源ユニット４２は、面状光源ユニット４２に対応する表示領域ユニット１２を背面から照明する。尚、カラー液晶表示装置１０Ａの下方に面状光源装置４０Ａが位置しているが、図１０においては、カラー液晶表示装置１０Ａと面状光源装置４０Ａとを別々に表示した。尚、面状光源装置及びカラー液晶表示装置の模式的な一部断面図は、図７に示したと同様である。また、面状光源装置４０Ａは、仕切り板（図示せず）を備えている点を除き、実質的に、実施例１において説明した面状光源装置４０と同様の構造、構成を有するので、詳細な説明は省略する。
【００６４】
面状光源装置４０Ａを構成する面状光源ユニット４２は、複数の発光ダイオード４１を、面状光源ユニット４２の照明光（より具体的には、発光ダイオード４１の出射光）に対して不透明な仕切り板によって区分けすることで得ることができる。このような構成にあっては、面状光源ユニット４２における輝度は、隣接する面状光源ユニット４２によって影響を受けない。
【００６５】
面状光源ユニット４２及びカラー液晶表示装置１０Ａを駆動するための駆動回路は、パルス幅変調方式に基づき、面状光源ユニット４２を構成する赤色発光ダイオード４１Ｒ、緑色発光ダイオード４１Ｇ及び青色発光ダイオード４１Ｂのオン／オフ制御を行うバックライト制御ユニット７０及び面状光源ユニット駆動回路８０Ａ、並びに、液晶表示装置駆動回路９０から構成されている。尚、実施例２におけるバックライト制御ユニット７０及び面状光源ユニット駆動回路８０Ａ、並びに、液晶表示装置駆動回路９０は、それぞれ、実施例１において説明したバックライト制御ユニット７０及び面状光源駆動回路８０、並びに、液晶表示装置駆動回路９０と実質的に同じ構成を有しているので、詳細な説明は省略する。
【００６６】
尚、後述する実施例３あるいは実施例４におけるカラー液晶表示装置１０Ａ、面状光源ユニット４２、駆動回路７０，８０Ａ，９０も、基本的には、実施例２におけるカラー液晶表示装置１０Ａ、面状光源ユニット４２、駆動回路７０，８０Ａ，９０と同様の構成、構造を有する。
【００６７】
そして、画素のそれぞれに、画素のそれぞれの光透過率Ｌｔを制御する制御信号が駆動回路から供給される。具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路９０から供給される。尚、この点に関しては、実施例１と同様とすることができるので、詳細な説明は省略する。
【００６８】
実施例２あるいは後述する実施例３〜実施例４における線順次駆動される透過型のカラー液晶表示装置１０Ａは、実施例１において説明したと同様に、マトリクス状に交差する走査電極（第１の方向に沿って延びている）とデータ電極（第２の方向に沿って延びている）とを有している。そして、走査電極に走査信号を入力して走査電極を選択、走査し、データ電極に入力されたデータ信号（制御信号に基づく信号である）に基づき画像を表示させ、１画面を構成する。
【００６９】
実施例２にあっては、液晶表示装置の画像表示におけるフレーム毎に、（ａ）表示領域１１を構成する全ての画素を駆動するために駆動回路７０，８０Ａ，９０に入力される駆動信号の値の内の最大値であるフレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源ユニット４２の輝度（光源輝度Ｙ2）を駆動回路７０，８０Ａによって制御し、且つ、（ｂ）画素を構成する液晶材料の応答速度に基づき、面状光源ユニット４２の輝度（光源輝度Ｙ2）を駆動回路７０，８０Ａによって制御し、且つ、（ｃ）各面状光源ユニット４２の配置位置に依存して、各面状光源ユニット４２の発光開示時期を駆動回路８０Ａによって制御する。ここで、実施例２にあっては、１フレーム内において、より遅く走査信号が入力されて選択される走査電極を含む表示領域ユニット１２に対応した各面状光源ユニット４２の発光開示時期を、より一層遅延させる。但し、各面状光源ユニット４２の発光期間は同じである。そして、１フレーム内において、あるいは又、２つの連続したフレームを跨って、カラー液晶表示装置１０の動作と面状光源装置４０の動作とは、クロック信号ＣＬＫに基づき同期させられる。
【００７０】
実施例２の液晶表示装置組立体の駆動方法における或る画素（副画素）に関する、面状光源装置の輝度（光源輝度Ｙ2）、画素の光透過率Ｌｔ及び輝度（表示輝度ｙ）を模式的に、図９の（Ａ）、（Ｂ）及び（Ｃ）に示す。ここで、図９の（Ａ）における実線は、画素Ａが含まれる表示領域ユニット１２に対応する面状光源ユニット４２における光源輝度Ｙ2を示し、図９の（Ａ）における点線は、画素Ｂが含まれる表示領域ユニット１２に対応する面状光源ユニット４２における光源輝度Ｙ2を示す。また、図９の（Ｂ）の実線は、画素Ａの光透過率Ｌｔを模式的に示す図であり、図９の（Ｂ）の点線は、画素Ｂの光透過率Ｌｔを模式的に示す図である。更には、図９の（Ｃ）は、画素Ａ及び画素Ｂの表示輝度ｙを模式的に示す図である。ここで、図９の（Ａ）、（Ｂ）、（Ｃ）における横軸は、画像表示の時間的経過（フレーム数）を示している。また、画素Ａは液晶表示装置の上部に位置し、画素Ｂは液晶表示装置の下部に位置しており、画素Ａよりも画素Ｂの方が、１フレーム内において、より遅く走査信号が入力されて選択される。
【００７１】
先に説明したように、液晶材料は、有限の応答速度を有している。それ故、画素の光透過率Ｌｔは、図９の（Ｂ）に実線及び点線で示すように変化する。そして、実施例２の液晶表示装置組立体の駆動方法にあっては、図９の（Ａ）に実線及び点線で示すように、画素を構成する液晶材料の応答速度に基づき、面状光源ユニット４２の光源輝度Ｙ2を駆動回路８０Ａによって制御する。従って、画素を駆動するために液晶表示装置組立体に外部から入力される駆動信号の値が一定である場合であっても、図１５に示した従来の技術とは異なり、図９の（Ｃ）に実線で示したような表示輝度が画素Ａ及び画素Ｂのいずれにおいても得られるので、カラー液晶表示装置１０Ａの表示画像にちらつきが生じることが無い。
【００７２】
実施例２の液晶表示装置組立体の駆動方法においては、実施例１の［ステップ−１００］〜［ステップ−１３０］と同様のステップを実行すればよい。但し、実施例１の［ステップ−１３０］と同様のステップにおいて、第１行目に属する面状光源ユニット４２の発光開示時期よりも、予め決められた遅延時間Δｔが経過した後、第２行目に属する面状光源ユニット４２の発光を開始し、第２行目に属する面状光源ユニット４２の発光開示時期よりも、予め決められた遅延時間Δｔが経過した後、第３行目に属する面状光源ユニット４２の発光を開始し、第ｑ行目に属する面状光源ユニット４２の発光開示時期よりも、予め決められた遅延時間ΔＴ（＝ｑ×Δｔ）が経過した後、第（ｑ＋１）行目に属する面状光源ユニット４２の発光を開始するといった処理を行えばよい。
【００７３】
実施例２にあっては、実施例１と同様に、カラー液晶表示装置１０Ａの画像表示におけるフレーム毎に、フレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源ユニット４２の輝度（光源輝度Ｙ2）が駆動回路７０，８０Ａによって制御されるので、即ち、フレーム毎に面状光源ユニット４２の光源輝度Ｙ2が制御されるので、面状光源装置４０Ａの消費電力の低減を図ることができる。しかも、画素を構成する液晶材料の応答速度に基づき、面状光源ユニット４２の光源輝度Ｙ2を駆動回路７０，８０Ａによって制御するので、液晶表示装置組立体に入力される駆動信号の値が一定である場合であっても、カラー液晶表示装置１０Ａの表示画像にちらつきが生じることを確実に防止することができる。更には、実施例２の液晶表示装置組立体の駆動方法にあっては、各面状光源ユニット４２の配置位置に依存して、各面状光源ユニット４２の発光開示時期を駆動回路８０Ａによって制御するので、より一層正確、精密な液晶表示装置の表示画像の制御を行うことができる。
【実施例３】
【００７４】
実施例３は、本発明の第３の態様に係る液晶表示装置組立体の駆動方法に関する。
【００７５】
２次元マトリクス状に配列された画素から構成された表示領域がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。尚、２次元マトリクス状に配列され、第ｑ行、第ｐ列［但し、ｑ＝１，２，・・・，Ｑであり、ｐ＝１，２，・・・，Ｐである］に位置する表示領域ユニット、面状光源ユニットを、それぞれ、表示領域ユニット１２(q,p)、面状光源ユニット４２(q,p)と表記し、表示領域ユニット１２(q,p)あるいは面状光源ユニット４２(q,p)に関連する要素、項目に、添字「(q,p)」あるいは「-(q,p)」を付する場合がある。
【００７６】
実施例１あるいは実施例２にあっては、表示領域１１を構成する全ての画素を駆動するために駆動回路７０，８０（８０Ａ），９０に入力される駆動信号の値の内の最大値であるフレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源装置４０あるいは面状光源ユニット４２の輝度（光源輝度Ｙ2）を駆動回路７０，８０（８０Ａ）によって制御する。即ち、面状光源装置４０は分割駆動されていないし、面状光源ユニット４２もユニット単位で分割された駆動（分割駆動）とされていない。云い換えれば、面状光源装置４０は表示領域１１を均等に照明しているし、面状光源ユニット４２は表示領域ユニット１２を均等に照明しており、面状光源ユニット４２間で光源輝度Ｙ2に実質的に差異は無い。
【００７７】
一方、実施例３の液晶表示装置組立体の駆動方法にあっては、面状光源ユニット４２は、ユニット単位で分割された駆動（分割駆動）とされている。云い換えれば、面状光源ユニット４２は表示領域ユニット１２を照明しているが、面状光源ユニット４２間で光源輝度Ｙ2に差異が存在し得る。即ち、実施例３にあっては、液晶表示装置の画像表示におけるフレーム毎に、（ａ）面状光源ユニット４２(q,p)のそれぞれにおいて、各表示領域ユニット１２(q,p)を構成する全ての画素を駆動するために駆動回路７０，８０Ａ(q,p)，９０に入力される駆動信号の値の内の最大値である表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2-(q,p)）が得られるように、この表示領域ユニット１２(q,p)に対応する面状光源ユニット４２(q,p)の輝度（光源輝度Ｙ2-(q,p)）を駆動回路７０，８０Ａ(q,p)によって制御し、且つ、（ｂ）画素を構成する液晶材料の応答速度に基づき、面状光源ユニット４２(q,p)の輝度（光源輝度Ｙ2-(q,p)）を駆動回路７０，８０Ａ(q,p)によって制御する。
【００７８】
実施例３の液晶表示装置組立体の駆動方法における或る画素（副画素）に関する、面状光源ユニット４２(q,p)の輝度（光源輝度Ｙ2-(q,p)）、画素の光透過率Ｌｔ及び輝度（表示輝度ｙ2-(q,p)）を、模式的に、図１の（Ａ）、（Ｂ）及び（Ｃ）、並びに、図３の（Ａ）、（Ｂ）及び（Ｃ）に示したと同様とした。即ち、画素Ａを含む表示領域ユニット１２に対応する面状光源ユニット４２の輝度（光源輝度Ｙ2）と、画素Ｂを含む表示領域ユニット１２に対応する面状光源ユニット４２の輝度（光源輝度Ｙ2）の値を、便宜上、同じとした。但し、実施例２と同様に、画素Ａはカラー液晶表示装置１０Ａの上部に位置し、画素Ｂはカラー液晶表示装置１０の下部に位置しており、画素Ａよりも画素Ｂの方が、１フレーム内において、より遅く走査信号が入力されて選択される。図１１の（Ａ）及び（Ｂ）の概念図に、実施例３において、表示領域ユニット内・駆動信号最大値ｘU-maxに等しい値を有する駆動信号に相当する制御信号が画素に供給されたと想定したときの表示輝度・第２規定値ｙ2-(q,p)が面状光源ユニットによって得られるように、面状光源ユニットの輝度（光源輝度Ｙ2-(q,p)）を、面状光源ユニット駆動回路の制御下、増減する状態を示す。
【００７９】
以下、実施例３における面状光源装置の駆動方法を、再び、図１０を参照して、説明する。
【００８０】
［ステップ−３００］
実施例１の［ステップ−１００］と同様にして、スキャンコンバータ等の周知のディスプレイ回路から送出された１フレーム分の駆動信号［Ｒ，Ｇ，Ｂ］及びクロック信号ＣＬＫは、バックライト制御ユニット７０及び液晶表示装置駆動回路９０に入力される（図１０参照）。そして、バックライト制御ユニット７０に入力された１フレーム分の駆動信号［Ｒ，Ｇ，Ｂ］の値ｘR，ｘG，ｘBは、バックライト制御ユニット７０を構成する記憶装置（メモリ）７２に、一旦、記憶される。また、液晶表示装置駆動回路９０に入力された１フレーム分の駆動信号［Ｒ，Ｇ，Ｂ］の値ｘR，ｘG，ｘBも、液晶表示装置駆動回路９０を構成する記憶装置（図示せず）に、一旦、記憶される。
【００８１】
［ステップ−３１０］
次いで、バックライト制御ユニット７０を構成する演算回路７１においては、記憶装置７２に記憶された駆動信号［Ｒ，Ｇ，Ｂ］の値を読み出し、第（ｐ，ｑ）番目［但し、先ず、ｐ＝１，ｑ＝１］の表示領域ユニット１２(q,p)において、この第（ｐ，ｑ）番目の表示領域ユニット１２(q,p)を構成する全ての画素における副画素［Ｒ，Ｇ，Ｂ］(q,p)を駆動するための駆動信号［Ｒ，Ｇ，Ｂ］(q,p)の値ｘR-(q,p)，ｘG-(q,p)，ｘB-(q,p)の内の最大値である表示領域ユニット内・駆動信号最大値ｘU-max(q,p)を、演算回路７１において求める。そして、表示領域ユニット内・駆動信号最大値ｘU-max(q,p)を、記憶装置７２に記憶する。このステップを、ｍ＝１，２，・・・，Ｍ、ｎ＝１，２，・・・，Ｎの全てに対して、即ち、Ｍ×Ｎ個の画素に対して、実行する。
【００８２】
例えば、ｘR-(q,p)が「１１０」に相当する値であり、ｘG-(q,p)が「１５０」に相当する値であり、ｘB-(q,p)が「５０」に相当する値である場合、ｘU-max(q,p)は「１５０」に相当する値である。
【００８３】
この操作を、（ｐ，ｑ）＝（１，１）から（Ｐ，Ｑ）まで繰り返し、全ての表示領域ユニット１２(q,p)における表示領域ユニット内・駆動信号最大値ｘU-max(q,p)を、記憶装置７２に記憶する。
【００８４】
そして、表示領域ユニット内・駆動信号最大値ｘU-max(q,p)に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの輝度（光透過率・第１規定値Ｌｔ1における表示輝度・第２規定値ｙ2-(q,p)）が面状光源ユニット４２(q,p)によって得られるように、表示領域ユニット１２(q,p)に対応する面状光源ユニット４２(q,p)の輝度（光源輝度Ｙ2-(q,p)）を、前述した面状光源ユニット駆動回路８０Ａ(q,p)の制御下、増減する。即ち、前述したとおり、式（１）を満足するように、フレーム毎に光源輝度Ｙ2-(q,p)を制御すればよい。より具体的には、式（１）を満足するように、光源輝度制御関数ｇ（ｘnol-max）である式（２）に基づき、光源輝度Ｙ2-(q,p)を制御すればよい。このような制御の概念図は、図４の（Ａ）及び（Ｂ）に示したと同様である。尚、光源輝度Ｙ2の制御に関するこれらの関係、即ち、表示領域ユニット内・駆動信号最大値ｘU-max、この最大値ｘU-maxに等しい値を有する駆動信号に相当する制御信号の値、このような制御信号が画素（副画素）に供給されたと想定したときの表示輝度・第２規定値ｙ2、このときの各副画素の光透過率（開口率）［光透過率・第２規定値Ｌｔ2］、各副画素の光透過率（開口率）を光透過率・第１規定値Ｌｔ1としたときに表示輝度・第２規定値ｙ2が得られるような面状光源ユニットにおける輝度制御パラメータの関係は、予め求めておけばよい。
【００８５】
そして、バックライト制御ユニット７０を構成する演算回路７１において得られたｇ（ｘnol-max）の値を、記憶装置７２に記憶されたテーブルに基づき、０〜２５５の範囲内の対応する整数に変換する。こうして、バックライト制御ユニット７０を構成する演算回路７１において、面状光源ユニット４２(q,p)における赤色発光ダイオード４１Ｒ(q,p)の発光時間を制御するためのパルス幅変調出力信号の値ＳR-(q,p)、緑色発光ダイオード４１Ｇ(q,p)の発光時間を制御するためのパルス幅変調出力信号の値ＳG-(q,p)、青色発光ダイオード４１Ｂ(q,p)の発光時間を制御するためのパルス幅変調出力信号の値ＳB-(q,p)を得ることができる。但し、ＳR-(q,p)＝ＳG-(q,p)＝ＳB-(q,p)＝Ｓ0-(q,p)とする。
【００８６】
そして、実施例１の［ステップ−１１０］にて説明したと同様に、第ｋ番目の単位発光期間における単位発光期間・パルス幅変調出力信号の補正値ｓ’k-(q,p)を求める。
【００８７】
［ステップ−３２０］
次に、実施例１の［ステップ−１２０］と同様にして、バックライト制御ユニット７０を構成する演算回路７１において得られた単位発光期間・パルス幅変調出力信号の補正値ｓ’k-(q,p)は、面状光源ユニット４２(q,p)に対応して設けられた面状光源ユニット駆動回路８０Ａ(q,p)の記憶装置８２に送出され、記憶装置８２において記憶される。また、クロック信号ＣＬＫも面状光源ユニット駆動回路８０Ａ(q,p)に送出される（図１０参照）。
【００８８】
［ステップ−３３０］
その後、実施例１の［ステップ−１３０］と同様のステップを実行する。そして、面状光源ユニット４２(q,p)を構成する赤色発光ダイオード４１Ｒ(q,p)，緑色発光ダイオード４１Ｇ(q,p)、青色発光ダイオード４１Ｂ(q,p)のオン時間ｔR-ON-(q,p)，ｔG-ON-(q,p)，ｔB-ON-(q,p)に相当する信号が、ＬＥＤ駆動回路８３に送られ、このＬＥＤ駆動回路８３から、オン時間ｔR-ON-(q,p)，ｔG-ON-(q,p)，ｔB-ON-(q,p)に相当する信号の値に基づき、スイッチング素子８５Ｒ(q,p)，８５Ｇ(q,p)，８５Ｂ(q,p)が、オン時間ｔR-ON-(q,p)，ｔG-ON-(q,p)，ｔB-ON-(q,p)だけオン状態となり、発光ダイオード駆動電源８６からのＬＥＤ駆動電流が、各発光ダイオード４１Ｒ(q,p)，４１Ｇ(q,p)，４１Ｂ(q,p)に流される。その結果、各発光ダイオード４１Ｒ(q,p)，４１Ｇ(q,p)，４１Ｂ(q,p)は、１フレーム時間中のオン時間ｔR-ON-(q,p)，ｔG-ON-(q,p)，ｔB-ON-(q,p)だけ発光する。こうして、第（ｐ，ｑ）番目の表示領域ユニット１２(q,p)を、所定の照度において照明する。
【００８９】
一方、液晶表示装置駆動回路９０に入力された駆動信号［Ｒ，Ｇ，Ｂ］(q,p)の値ｘR-(q,p)，ｘG-(q,p)，ｘB-(q,p)は、実施例１と同様にしてタイミングコントローラ９１にて処理され、駆動信号［Ｒ，Ｇ，Ｂ］(q,p)に相当する制御信号［Ｒ，Ｇ，Ｂ］(q,p)を、副画素［Ｒ，Ｇ，Ｂ］(q,p)に供給（出力）する。そして、この制御信号［Ｒ，Ｇ，Ｂ］(q,p)の値ＸR-(q,p)，ＸG-(q,p)，ＸB-(q,p)に基づき、副画素［Ｒ，Ｇ，Ｂ］(q,p)の光透過率（開口率）Ｌｔが制御される。
【００９０】
実施例３の液晶表示装置組立体の駆動方法においては、液晶表示装置の画像表示におけるフレーム毎に、表示領域ユニット内・駆動信号最大値ｘU-max(q,p)に等しい値を有する駆動信号に相当する制御信号が画素に供給されたと想定したときの画素の輝度（光透過率・第１規定値Ｌｔ1における表示輝度・第２規定値ｙ2-(q,p)）が得られるように、面状光源ユニット４２(q,p)の輝度（光源輝度Ｙ2-(q,p)）が駆動回路７０，８０Ａ(q,p)によって制御されるので、即ち、フレーム毎に面状光源ユニット４２(q,p)の輝度が駆動回路７０，８０Ａ(q,p)によって制御されるので、面状光源装置４０の消費電力の低減を図ることができるばかりか、高いコントラスト比を得ることができる。しかも、画素を構成する液晶材料の応答速度に基づき、面状光源ユニット４２の光源輝度Ｙ2-(q,p)を駆動回路７０，８０Ａ(q,p)によって制御するので、液晶表示装置組立体に入力される駆動信号の値が一定である場合であっても、カラー液晶表示装置１０Ａの表示画像にちらつきが生じることを確実に防止することができる。
【実施例４】
【００９１】
実施例４は実施例３の変形である。実施例４の液晶表示装置組立体の駆動方法にあっては、液晶表示装置の画像表示におけるフレーム毎に、更に、各面状光源ユニット４２の配置位置に依存して、各面状光源ユニット４２の発光開示時期を駆動回路によって制御する。具体的には、実施例４にあっては、１フレーム内において、より遅く走査信号が入力されて選択される走査電極を含む表示領域ユニット１２に対応した各面状光源ユニット４２の発光開示時期を、より一層遅延させる。即ち、実質的に、実施例２において説明したと同様の駆動を行う。
【００９２】
具体的には、実施例４の液晶表示装置組立体の駆動方法においては、実施例３の［ステップ−３００］〜［ステップ−３３０］を実行する。但し、実施例３の［ステップ−３３０］と同様のステップにおいて、実施例２と同様に、第１行目（ｑ＝１）に属する面状光源ユニット４２の発光開示時期よりも、予め決められた遅延時間Δｔが経過した後、第２行目（ｑ＝２）に属する面状光源ユニット４２の発光を開始し、第２行目（ｑ＝２）に属する面状光源ユニット４２の発光開示時期よりも、予め決められた遅延時間Δｔが経過した後、第３行目（ｑ＝３）に属する面状光源ユニット４２の発光を開始し、第ｑ’行目に属する面状光源ユニット４２の発光開示時期よりも、予め決められた遅延時間ΔＴ（＝ｑ’×Δｔ）が経過した後、第（ｑ’＋１）行目に属する面状光源ユニット４２の発光を開始するといった処理を行えばよい。
【００９３】
実施例４にあっては、実施例３と同様に、カラー液晶表示装置１０Ａの画像表示におけるフレーム毎に、表示領域ユニット内・駆動信号最大値ｘU-max(q,p)に等しい値を有する駆動信号に相当する制御信号が画素に供給されたと想定したときの画素の輝度（光透過率・第１規定値Ｌｔ1における表示輝度・第２規定値ｙ2-(q,p)）が得られるように、面状光源ユニット４２(q,p)の輝度（光源輝度Ｙ2-(q,p)）が駆動回路７０，８０Ａ(q,p)によって制御されるので、即ち、フレーム毎に面状光源ユニット４２(q,p)の光源輝度Ｙ2-(q,p)が制御されるので、面状光源装置４０Ａの消費電力の低減を図ることができる。しかも、画素を構成する液晶材料の応答速度に基づき、面状光源ユニット４２(q,p)の光源輝度Ｙ2-(q,p)を駆動回路７０，８０Ａ(q,p)によって制御するので、液晶表示装置組立体に入力される駆動信号の値が一定である場合であっても、カラー液晶表示装置１０Ａの表示画像にちらつきが生じることを確実に防止することができる。更には、実施例４の液晶表示装置組立体の駆動方法にあっては、各面状光源ユニット４２(q,p)の配置位置に依存して、各面状光源ユニット４２(q,p)の発光開示時期を駆動回路８０Ａ(q,p)によって制御するので、より一層正確、精密な液晶表示装置の表示画像の制御を行うことができる。
【００９４】
以上、本発明を好ましい実施例に基づき説明したが、本発明はこれらの実施例に限定されるものではない。実施例において説明した透過型のカラー液晶表示装置や面状光源装置、面状光源ユニット、液晶表示装置組立体の構成、構造は例示であるし、これらを構成する部材、材料等も例示であり、適宜、変更することができる。発光ダイオードの温度を温度センサーで監視し、その結果を、面状光源駆動回路８０や面状光源ユニット駆動回路８０Ａにフィードバックすることで、面状光源装置４０や面状光源ユニット４２の輝度補償（補正）や温度制御を行ってもよい。実施例においては、液晶表示装置の表示領域をＰ×Ｑ個の仮想の表示領域ユニットに分割したと想定して説明を行ったが、場合によっては、透過型の液晶表示装置は、Ｐ×Ｑ個の実際の表示領域ユニットに分割された構造を有していてもよい。
【図面の簡単な説明】
【００９５】
【図１】図１の（Ａ）、（Ｂ）及び（Ｃ）は、それぞれ、実施例１の液晶表示装置組立体の駆動方法における、或る画素（副画素）に関する、面状光源装置の輝度（光源輝度Ｙ2）、画素の光透過率Ｌｔ及び輝度（表示輝度ｙ）を模式的に示す図である。
【図２】図２の（Ａ）、（Ｂ）及び（Ｃ）は、それぞれ、実施例１の液晶表示装置組立体の駆動方法において、１つのフレームにおける発光ダイオードのパルス幅変調に基づく駆動におけるデューティ比の制御、面状光源装置の輝度（光源輝度Ｙ2）、及び、画素の光透過率Ｌｔを模式的に示す図である。
【図３】図３の（Ａ）、（Ｂ）及び（Ｃ）は、それぞれ、実施例１の液晶表示装置組立体の駆動方法における、図１に示したとは別の画素（副画素）に関する、面状光源装置の輝度（光源輝度Ｙ2）、画素の光透過率Ｌｔ及び輝度（表示輝度ｙ）を模式的に示す図である。
【図４】図４の（Ａ）及び（Ｂ）は、実施例１及び実施例２において、フレーム内・駆動信号最大値ｘF-maxに等しい値を有する駆動信号に相当する制御信号が画素に供給されたと想定したときの表示輝度・第２規定値ｙ2が面状光源装置によって得られるように、面状光源装置の輝度（光源輝度Ｙ2）を、面状光源駆動回路の制御下、増減する状態を説明するための概念図である。
【図５】図５は、実施例１での使用に適したカラー液晶表示装置、面状光源装置、駆動回路から成る液晶表示装置組立体の概念図である。
【図６】図６は、実施例１における使用に適した駆動回路の一部分の概念図である。
【図７】図７は、実施例１〜実施例３の面状光源装置及びカラー液晶表示装置の模式的な一部断面図である。
【図８】図８の（Ａ）は、副画素を駆動するために液晶表示装置駆動回路に入力される駆動信号の値を２．２乗した値（ｘ’≡ｘ2.2）とデューティ比（＝ｔON／ｔConst）との関係を模式的に示す図であり、図８の（Ｂ）は、副画素の光透過率を制御するための制御信号の値Ｘと表示輝度ｙとの関係を模式的に示す図である。
【図９】図９の（Ａ）、（Ｂ）及び（Ｃ）は、それぞれ、実施例２の液晶表示装置組立体の駆動方法における、画素Ａ及び画素Ｂに関する、面状光源装置の輝度（光源輝度Ｙ2）、画素の光透過率Ｌｔ及び輝度（表示輝度ｙ）を模式的に示す図である。
【図１０】図１０は、実施例２での使用に適したカラー液晶表示装置、面状光源装置、駆動回路から成る液晶表示装置組立体の概念図である。
【図１１】図１１の（Ａ）及び（Ｂ）は、実施例３において、表示領域ユニット内・駆動信号最大値ｘU-maxに等しい値を有する駆動信号に相当する制御信号が画素に供給されたと想定したときの表示輝度・第２規定値ｙ2-(q,p)が面状光源ユニットによって得られるように、面状光源ユニットの輝度（光源輝度Ｙ2-(q,p)）を、面状光源ユニット駆動回路の制御下、増減する状態を説明するための概念図である。
【図１２】図１２の（Ａ）、（Ｂ）及び（Ｃ）は、それぞれ、従来の技術において、面状光源装置の輝度（光源輝度）を一定としたときの、面状光源装置の輝度（光源輝度）、画素Ａの光透過率、及び、画素Ａにおける輝度（表示輝度）のフレーム毎の変化を模式的に示す図である。
【図１３】図１３の（Ａ）、（Ｂ）及び（Ｃ）は、それぞれ、従来の技術において、面状光源装置の輝度（光源輝度）を一定としたときの、面状光源装置の輝度（光源輝度）、画素Ｂの光透過率、及び、画素Ｂにおける輝度（表示輝度）のフレーム毎の変化を模式的に示す図である。
【図１４】図１４の（Ａ）、（Ｂ）及び（Ｃ）は、それぞれ、従来の技術において、面状光源装置の輝度（光源輝度）を可変としたときの、面状光源装置の輝度（光源輝度）、画素Ａの光透過率、及び、画素Ａにおける輝度（表示輝度）のフレーム毎の変化を模式的に示す図である。
【図１５】図１５の（Ａ）、（Ｂ）及び（Ｃ）は、それぞれ、従来の技術において、面状光源装置の輝度（光源輝度）を可変としたときの、面状光源装置の輝度（光源輝度）、画素Ｂの光透過率、及び、画素Ｂにおける輝度（表示輝度）のフレーム毎の変化を模式的に示す図である。
【図１６】図１６の（Ａ）及び（Ｂ）は、従来の技術において、面状光源装置の光源輝度と、画素の光透過率（開口率）と、表示領域における表示輝度との関係を説明するための概念図である。
【符号の説明】
【００９６】
１０，１０Ａ・・・カラー液晶表示装置、１１・・・表示領域、１２・・・表示領域ユニット、４０，４０Ａ・・・面状光源装置、４１，４１Ｒ，４１Ｇ，４１Ｂ・・・発光ダイオード、４２・・・面状光源ユニット、４４Ｒ，４４Ｇ，４４Ｂ・・・フォトダイオード、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・拡散板、６２・・・拡散シート、６３・・・プリズムシート、６４・・・偏光変換シート、６５・・・反射シート、７０・・・バックライト制御ユニット、７１・・・演算回路、７２・・・記憶装置（メモリ）、８０・・・面状光源駆動回路、８０Ａ・・・面状光源ユニット駆動回路、８１・・・演算回路、８２・・・記憶装置（メモリ）、８３・・・ＬＥＤ駆動回路、８４・・・フォトダイオード制御回路、８５Ｒ，８５Ｇ，８５Ｂ・・・スイッチング素子、８６・・・発光ダイオード駆動電源、９０・・・液晶表示装置駆動回路、９１・・・タイミングコントローラ
【図１】
2007286501.tif 000003
【図２】
2007286501.tif 000004
【図３】
2007286501.tif 000005
【図４】
2007286501.tif 000006
【図５】
2007286501.tif 000007
【図６】
2007286501.tif 000008
【図７】
2007286501.tif 000009
【図８】
2007286501.tif 000010
【図９】
2007286501.tif 000011
【図１０】
2007286501.tif 000012
【図１１】
2007286501.tif 000013
【図１２】
2007286501.tif 000014
【図１３】
2007286501.tif 000015
【図１４】
2007286501.tif 000016
【図１５】
2007286501.tif 000017
【図１６】
2007286501.tif 000018
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
（Ａ）２次元マトリクス状に配列された画素から構成された表示領域を有する透過型の液晶表示装置、
（Ｂ）表示領域を背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源装置の輝度を駆動回路によって制御し、且つ、
（ｂ）画素を構成する液晶材料の応答速度に基づき、面状光源装置の輝度を駆動回路によって制御する、
ことを特徴とする液晶表示装置組立体の駆動方法。
【請求項２】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項１に記載の液晶表示装置組立体の駆動方法。
【請求項３】
面状光源装置を構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源装置の輝度を制御することを特徴とする請求項１に記載の液晶表示装置組立体の駆動方法。
【請求項４】
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源ユニットの輝度を駆動回路によって制御し、且つ、
（ｂ）画素を構成する液晶材料の応答速度に基づき、面状光源ユニットの輝度を駆動回路によって制御し、且つ、
（ｃ）各面状光源ユニットの配置位置に依存して、各面状光源ユニットの発光開始時期を駆動回路によって制御する、
ことを特徴とする液晶表示装置組立体の駆動方法。
【請求項５】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項４に記載の液晶表示装置組立体の駆動方法。
【請求項６】
面状光源ユニットを構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源ユニットの輝度を制御することを特徴とする請求項４に記載の液晶表示装置組立体の駆動方法。
【請求項７】
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）面状光源ユニットのそれぞれにおいて、各表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号が画素に供給されたと想定したときの画素の輝度が得られるように、該表示領域ユニットに対応する面状光源ユニットの輝度を駆動回路によって制御し、且つ、
（ｂ）画素を構成する液晶材料の応答速度に基づき、面状光源ユニットの輝度を駆動回路によって制御する、
ことを特徴とする液晶表示装置組立体の駆動方法。
【請求項８】
液晶表示装置の画像表示におけるフレーム毎に、更に、
（ｃ）各面状光源ユニットの配置位置に依存して、各面状光源ユニットの発光開始時期を駆動回路によって制御する、
ことを特徴とする請求項７に記載の液晶表示装置組立体の駆動方法。
【請求項９】
各画素は、それぞれが異なる色を発光する複数の副画素を１組として構成され、
各画素を構成する副画素のそれぞれに、副画素のそれぞれの光透過率を制御する制御信号が駆動回路から供給されることを特徴とする請求項７に記載の液晶表示装置組立体の駆動方法。
【請求項１０】
面状光源ユニットを構成する光源は、パルス幅変調に基づき駆動される発光ダイオードから成り、
１フレームにおける発光ダイオードの単位発光期間の数をＫとしたとき、第ｋ番目（但し、ｋ＝１，２，３・・・Ｋ）の単位発光期間における発光ダイオードのパルス幅変調に基づく駆動におけるデューティ比を制御することで、画素を構成する液晶材料の応答速度に基づき面状光源ユニットの輝度を制御することを特徴とする請求項７に記載の液晶表示装置組立体の駆動方法。
【請求項１１】
Ｋの値はＱの値の整数倍であることを特徴とする請求項１０に記載の液晶表示装置組立体の駆動方法。
【手続補正２】
【補正対象書類名】明細書
【補正対象項目名】００１２
【補正方法】変更
【補正の内容】
【００１２】
上記の目的を達成するための本発明の第２の態様に係る液晶表示装置組立体の駆動方法は、
（Ａ）２次元マトリクス状に配列された画素から構成された表示領域を有し、線順次駆動される透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（Ｃ）面状光源装置及び液晶表示装置を駆動するための駆動回路、
を備えた液晶表示装置組立体の駆動方法であって、
画素のそれぞれに、画素のそれぞれの光透過率を制御する制御信号が駆動回路から供給され、
液晶表示装置の画像表示におけるフレーム毎に、
（ａ）表示領域を構成する全ての画素を駆動するために駆動回路に入力される駆動信号の値の内の最大値であるフレーム内・駆動信号最大値ｘF-maxに等しい値を有する駆動信号に相当する制御信号が画素に供給されたと想定したときの画素の輝度が得られるように、面状光源ユニットの輝度を駆動回路によって制御し、且つ、
（ｂ）画素を構成する液晶材料の応答速度に基づき、面状光源ユニットの輝度を駆動回路によって制御し、且つ、
（ｃ）各面状光源ユニットの配置位置に依存して、各面状光源ユニットの発光開始時期を駆動回路によって制御する、
ことを特徴とする。
【手続補正３】
【補正対象書類名】明細書
【補正対象項目名】００１４
【補正方法】変更
【補正の内容】
【００１４】
本発明の第３の態様に係る液晶表示装置組立体の駆動方法においては、液晶表示装置の画像表示におけるフレーム毎に、更に、
（ｃ）各面状光源ユニットの配置位置に依存して、各面状光源ユニットの発光開始時期を駆動回路によって制御する、
といった形態とすることができる。
【手続補正４】
【補正対象書類名】明細書
【補正対象項目名】００１７
【補正方法】変更
【補正の内容】
【００１７】
尚、本発明の第２の態様に係る液晶表示装置組立体の駆動方法、あるいは、本発明の第３の態様に係る液晶表示装置組立体の駆動方法の好ましい態様にあっては、各面状光源ユニットの配置位置に依存して、各面状光源ユニットの発光開始時期を駆動回路によって制御するが、この場合、Ｐ×Ｑ個（Ｑ行、Ｐ列）の面状光源ユニットにおけるＱの値とＫの値との関係は、Ｋの値をＱの値の整数倍とすることが、即ち、αを正の整数の定数としたとき、
Ｋ＝α×Ｑ
とすることが、面状光源ユニットにおける発光制御の簡便性といった観点から好ましい。あるいは又、駆動回路において、各面状光源ユニットの配置位置に依存して各面状光源ユニットの発光開始時期を遅延させればよい。ここで、Ｑの値をパラメータとして遅延時間を予め決定しておき、駆動回路に備えられた記憶装置内に記憶させておけばよい。より具体的には、線順次駆動される透過型の液晶表示装置は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号に基づき画像を表示させ、１画面を構成するが、１フレーム内において、より遅く走査信号が入力されて選択される走査電極を含む表示領域ユニットに対応した各面状光源ユニットの発光開始時期を、より一層遅延させればよい。但し、各面状光源ユニットの発光期間は同じである。
【手続補正５】
【補正対象書類名】明細書
【補正対象項目名】００２５
【補正方法】変更
【補正の内容】
【００２５】
更には、本発明の第２の態様に係る液晶表示装置組立体の駆動方法、あるいは、本発明の第３の態様に係る液晶表示装置組立体の駆動方法の好ましい態様にあっては、各面状光源ユニットの配置位置に依存して、各面状光源ユニットの発光開始時期を駆動回路によって制御するので、より一層正確、精密な液晶表示装置の表示画像の制御を行うことができる。
【手続補正６】
【補正対象書類名】明細書
【補正対象項目名】００６９
【補正方法】変更
【補正の内容】
【００６９】
実施例２にあっては、液晶表示装置の画像表示におけるフレーム毎に、（ａ）表示領域１１を構成する全ての画素を駆動するために駆動回路７０，８０Ａ，９０に入力される駆動信号の値の内の最大値であるフレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源ユニット４２の輝度（光源輝度Ｙ2）を駆動回路７０，８０Ａによって制御し、且つ、（ｂ）画素を構成する液晶材料の応答速度に基づき、面状光源ユニット４２の輝度（光源輝度Ｙ2）を駆動回路７０，８０Ａによって制御し、且つ、（ｃ）各面状光源ユニット４２の配置位置に依存して、各面状光源ユニット４２の発光開始時期を駆動回路８０Ａによって制御する。ここで、実施例２にあっては、１フレーム内において、より遅く走査信号が入力されて選択される走査電極を含む表示領域ユニット１２に対応した各面状光源ユニット４２の発光開始時期を、より一層遅延させる。但し、各面状光源ユニット４２の発光期間は同じである。そして、１フレーム内において、あるいは又、２つの連続したフレームを跨って、カラー液晶表示装置１０の動作と面状光源装置４０の動作とは、クロック信号ＣＬＫに基づき同期させられる。
【手続補正７】
【補正対象書類名】明細書
【補正対象項目名】００７２
【補正方法】変更
【補正の内容】
【００７２】
実施例２の液晶表示装置組立体の駆動方法においては、実施例１の［ステップ−１００］〜［ステップ−１３０］と同様のステップを実行すればよい。但し、実施例１の［ステップ−１３０］と同様のステップにおいて、第１行目に属する面状光源ユニット４２の発光開始時期よりも、予め決められた遅延時間Δｔが経過した後、第２行目に属する面状光源ユニット４２の発光を開始し、第２行目に属する面状光源ユニット４２の発光開始時期よりも、予め決められた遅延時間Δｔが経過した後、第３行目に属する面状光源ユニット４２の発光を開始し、第ｑ行目に属する面状光源ユニット４２の発光開始時期よりも、予め決められた遅延時間ΔＴ（＝ｑ×Δｔ）が経過した後、第（ｑ＋１）行目に属する面状光源ユニット４２の発光を開始するといった処理を行えばよい。
【手続補正８】
【補正対象書類名】明細書
【補正対象項目名】００７３
【補正方法】変更
【補正の内容】
【００７３】
実施例２にあっては、実施例１と同様に、カラー液晶表示装置１０Ａの画像表示におけるフレーム毎に、フレーム内・駆動信号最大値ｘF-maxに等しい値を有する駆動信号に相当する制御信号が画素に供給されたと想定したときの画素の輝度（光透過率・第１規定値Ｌｔ1における表示輝度・第２規定値ｙ2）が得られるように、面状光源ユニット４２の輝度（光源輝度Ｙ2）が駆動回路７０，８０Ａによって制御されるので、即ち、フレーム毎に面状光源ユニット４２の光源輝度Ｙ2が制御されるので、面状光源装置４０Ａの消費電力の低減を図ることができる。しかも、画素を構成する液晶材料の応答速度に基づき、面状光源ユニット４２の光源輝度Ｙ2を駆動回路７０，８０Ａによって制御するので、液晶表示装置組立体に入力される駆動信号の値が一定である場合であっても、カラー液晶表示装置１０Ａの表示画像にちらつきが生じることを確実に防止することができる。更には、実施例２の液晶表示装置組立体の駆動方法にあっては、各面状光源ユニット４２の配置位置に依存して、各面状光源ユニット４２の発光開始時期を駆動回路８０Ａによって制御するので、より一層正確、精密な液晶表示装置の表示画像の制御を行うことができる。
【手続補正９】
【補正対象書類名】明細書
【補正対象項目名】００９１
【補正方法】変更
【補正の内容】
【００９１】
実施例４は実施例３の変形である。実施例４の液晶表示装置組立体の駆動方法にあっては、液晶表示装置の画像表示におけるフレーム毎に、更に、各面状光源ユニット４２の配置位置に依存して、各面状光源ユニット４２の発光開始時期を駆動回路によって制御する。具体的には、実施例４にあっては、１フレーム内において、より遅く走査信号が入力されて選択される走査電極を含む表示領域ユニット１２に対応した各面状光源ユニット４２の発光開始時期を、より一層遅延させる。即ち、実質的に、実施例２において説明したと同様の駆動を行う。
【手続補正１０】
【補正対象書類名】明細書
【補正対象項目名】００９２
【補正方法】変更
【補正の内容】
【００９２】
具体的には、実施例４の液晶表示装置組立体の駆動方法においては、実施例３の［ステップ−３００］〜［ステップ−３３０］を実行する。但し、実施例３の［ステップ−３３０］と同様のステップにおいて、実施例２と同様に、第１行目（ｑ＝１）に属する面状光源ユニット４２の発光開始時期よりも、予め決められた遅延時間Δｔが経過した後、第２行目（ｑ＝２）に属する面状光源ユニット４２の発光を開始し、第２行目（ｑ＝２）に属する面状光源ユニット４２の発光開始時期よりも、予め決められた遅延時間Δｔが経過した後、第３行目（ｑ＝３）に属する面状光源ユニット４２の発光を開始し、第ｑ’行目に属する面状光源ユニット４２の発光開始時期よりも、予め決められた遅延時間ΔＴ（＝ｑ’×Δｔ）が経過した後、第（ｑ’＋１）行目に属する面状光源ユニット４２の発光を開始するといった処理を行えばよい。
【手続補正１１】
【補正対象書類名】明細書
【補正対象項目名】００９３
【補正方法】変更
【補正の内容】
【００９３】
実施例４にあっては、実施例３と同様に、カラー液晶表示装置１０Ａの画像表示におけるフレーム毎に、表示領域ユニット内・駆動信号最大値ｘU-max(q,p)に等しい値を有する駆動信号に相当する制御信号が画素に供給されたと想定したときの画素の輝度（光透過率・第１規定値Ｌｔ1における表示輝度・第２規定値ｙ2-(q,p)）が得られるように、面状光源ユニット４２(q,p)の輝度（光源輝度Ｙ2-(q,p)）が駆動回路７０，８０Ａ(q,p)によって制御されるので、即ち、フレーム毎に面状光源ユニット４２(q,p)の光源輝度Ｙ2-(q,p)が制御されるので、面状光源装置４０Ａの消費電力の低減を図ることができる。しかも、画素を構成する液晶材料の応答速度に基づき、面状光源ユニット４２(q,p)の光源輝度Ｙ2-(q,p)を駆動回路７０，８０Ａ(q,p)によって制御するので、液晶表示装置組立体に入力される駆動信号の値が一定である場合であっても、カラー液晶表示装置１０Ａの表示画像にちらつきが生じることを確実に防止することができる。更には、実施例４の液晶表示装置組立体の駆動方法にあっては、各面状光源ユニット４２(q,p)の配置位置に依存して、各面状光源ユニット４２(q,p)の発光開始時期を駆動回路８０Ａ(q,p)によって制御するので、より一層正確、精密な液晶表示装置の表示画像の制御を行うことができる。